(57)【特許請求の範囲】
【請求項１】
リール本体を構成するフレームのリール脚に設けた竿取付部の前側と後側に着脱自在に取り付き、該竿取付部の前側及び後側の夫々の少なくとも先端部を覆う装着部と、両装着部を一体的に連結する連結部材とからなり、前記連結部材に括れ部が設けられていることを特徴とする記載の魚釣用リールの竿取付部のカバー。
【請求項２】
前記装着部と連結部材は、弾性材で一体形成されていることを特徴とする請求項１に記載の魚釣用リールの竿取付部のカバー。
【請求項３】
前記装着部を、袋状に形成したことを特徴とする請求項１または請求項２に記載の魚釣用リールの竿取付部のカバー。
【発明の詳細な説明】
【技術分野】
【０００１】
本発明は、魚釣用リールの竿取付部に装着するカバーに係り、詳しくは該竿取付部の損傷，腐食等のトラブルを防止するカバーに関する。
【背景技術】
【０００２】
従来、魚釣用リールは、リール本体を構成するフレームの下部にリール脚が形成され、該リール脚に竿取付部がリール本体の前後方向に設けられている。
【０００３】
そして、竿取付部の前側を、釣竿のリールシート上の固定フードに係合させ、リールシート上の移動フードを竿取付部の後側へ移動してこれに係合させることで、魚釣用リールが釣竿に一体的に取り付けられている。
【０００４】
しかし、魚釣用リールは厳しい使用環境下で使用されることが多く、竿取付部と固定フード等との係合が不安定な状態（寸法，形状のバラツキによるガタ付き等）で使用されると、竿取付部や固定フード等が損傷してこれらが腐食してしまう虞があった。
【０００５】
一方、特許文献１には、図１３に示すようにリール本体のフレームに設けたリール脚（台座）にリベットでカシメ固着するリール固定板（竿取付部）１の前後部表面をゴム層３で被覆して、リール脚とリール固定板１との固着面間に該ゴム層３を介在させた魚釣用リールが開示されている。
【０００６】
而して、この従来構造によれば、ゴム層３がリール脚とリール固定板１間のガタ付きを防止し、また、ゴム層３が緩衝して魚釣用リール（リール固定板）を釣竿に強固に取り付けることが可能となる。
【特許文献１】実開昭５７−４３７６１号公報
【発明の開示】
【発明が解決しようとする課題】
【０００７】
しかし、特許文献１の従来例によれば、長期に亘る使用に伴い、ゴム層３の経時劣化によって交換が必要となった場合、フレーム全体を交換しなければならずコストがかかってしまう欠点があった。
【０００８】
また、斯様にゴム層３が劣化してしまうと、リール脚に対するリール固定板１のリベットカシメが安定しなくなり、これらの間にガタ付きが生じてしまう問題も指摘されていた。
【０００９】
本発明は斯かる実情に鑑み案出されたもので、魚釣用リールの竿取付部の損傷，腐食等のトラブルを防止すると共に、使用経過に伴い、必要な場合に低コストにて交換可能な魚釣用リールの竿取付部のカバーを提供することを目的とする。
【課題を解決するための手段】
【００１０】
斯かる目的を達成するため、請求項１に係る魚釣用リールの竿取付部のカバーは、リール本体を構成するフレームのリール脚に設けた竿取付部の前側と後側に着脱自在に取り付き、該竿取付部の前側及び後側の夫々の少なくとも先端部を覆う装着部と、両装着部を一体的に連結する連結部材とからなり、前記連結部材に括れ部が設けられていることを特徴とする。
【００１１】
そして、請求項２に係る発明は、請求項１に記載の魚釣用リールの竿取付部のカバーに於て、前記装着部と連結部材は、弾性材で一体形成されていることを特徴とし、請求項３に係る発明は、請求項１または請求項２に記載の魚釣用リールの竿取付部のカバーに於て、前記装着部を袋状に形成したことを特徴とする。
【発明の効果】
【００１３】
各請求項に係る発明によれば、カバーを介在させて魚釣用リールを釣竿に取り付けることで、竿取付部と固定フードや移動フードとの寸法や形状のバラツキによるガタ付き等をカバーが吸引するため、これらの係合が安定し、この結果、長期に亘る使用で竿取付部や固定フード等の損傷，腐食といったトラブルを防止することが可能となる。
また、カバーは竿取付部に容易に着脱自在であるから、カバーが経時劣化したときには、劣化したカバーを竿取付部から取り外して新しいカバーに交換するだけで足り、低コストにて部品交換が可能となる利点を有するが、連結部材に括れ部を設けたため、カバーの着脱の際にカバーが伸長させ易く、竿取付部へのカバーの取付け／取り外しが簡単である。
【発明を実施するための最良の形態】
【００１６】
以下、本発明の実施形態を図面に基づいて詳細に説明する。
【００１７】
図１乃至図５は請求項１乃至請求項３の第一実施形態に係るカバーとこれを竿取付部に装着した魚釣用リールを示し、図１に於て、５，７はフレーム９の左右のフレーム枠体１１，１３に取り付く側板で、フレーム枠体１１，１３間の上部に平坦なプレート状の支柱１５が架設され、また、図２に示すようにフレーム枠体１１，１３間の下部の前後にリール脚１７，１９が架設されており、フレーム枠体１１，１３と支柱１５，リール脚１７，１９によってフレーム９が形成されている。
【００１８】
そして、前記フレーム９と左右の両側板５，７によって魚釣用リール２１のリール本体２３が構成されており、左側の側板５は、フレーム枠体１１に螺着される環状リング２５によって該フレーム枠体１１に着脱自在に取り付き、右側の側板７は、フレーム枠体１３に螺着されるネジ（図示せず）によって該フレーム枠体１３に着脱自在に取り付けられている。そして、従来の魚釣用リールと同様、前記リール脚１７，１９の裏面側に、竿取付部２７がリール本体２３の前後方向に亘って一体形成されている。
【００１９】
図２に示すように竿取付部２７は、釣竿３３のリールシート３５の外形形状に沿って形成されており、竿取付部２７の前側２９と後側３１が、夫々の先端部へと順次薄肉に形成され、且つ平面視円弧状に形成されている。そして、竿取付部２７の前側２９をリールシート３５上の固定フード３７に係合させた後、リールシート３５上の他方の移動フード３９を竿取付部２７の後側３１へ移動してこれに係合させることで、魚釣用リール２１が釣竿３３に一体的に取り付くようになっている。
【００２０】
そして、本実施形態は、上述の如き構成に加え、前記竿取付部２７に、ゴム（天然，合成）やポリウレタン，ポリ塩化ビニール等の弾性材からなるカバー４１を着脱自在に取り付けたことを特徴とする。
【００２１】
図３乃至図５に示すようにカバー４１は、竿取付部２７の前側２９及び後側３１の夫々の先端部を浅く覆ってこれらに着脱自在に取り付く袋状の装着部４３，４５と、両装着部４３，４５を連結する帯体（連結部材）４７とで構成されており、これらは前記弾性材を用いて０．３〜１ｍｍの厚み（好ましくは０．５ｍｍの厚み）で一体形成され、また、竿取付部２７の前後長に比し、多少、短めに前後長が設定されている。
【００２２】
尚、既述したように装着部４３，４５は、図５の如く竿取付部２７の前側２９及び後側３１の夫々の先端部を浅く覆うが、リール脚１７，１９から前後方向に夫々突出する竿取付部２７の前側２９及び後側３１の先端側の１／３程度を覆う長さに設定されている。そして、袋状の装着部４３，４５は同一形状である。
【００２３】
そして、図１及び図４に示すように前記帯体４７の中央部に括れ部４９が設けられて帯体４７の左右が括れており、斯様に帯体４７の中央部に括れ部４９を設けることで、竿取付部２７へのカバー４１の取付けの際に、図５の二点鎖線で示すようにカバー４１（帯体４７）が伸長し易くなっている。
【００２４】
その他、図１中、５１は側板５，７間にスプール軸（図示せず）を介して回転可能に取り付くスプール、５３は該スプール５１を巻取り駆動するハンドルである。
【００２５】
本実施形態に係るカバー４１はこのように構成されているから、魚釣用リール２１を釣竿３３に取り付けるに当たり、前記竿取付部２７にカバー４１を取り付ければよい。
【００２６】
而して、カバー４１の取付けは、一例として、図５の如く竿取付部２７の後側３１にカバー４１の一方の装着部４５を被せた後、カバー４１全体を竿取付部２７の底部に沿わせ乍ら、二点鎖線の如く竿取付部２７の前側２９の前方へと伸長させて装着部４３を該前側２９に被せて手を離せば、図５の実線で示すように装着部４３，４５が竿取付部２７の前側２９と後側３１を夫々覆って、カバー４１が簡単に竿取付部２７に取り付くこととなる。
【００２７】
また、カバー４１を竿取付部２７から外す場合は、一例として図５の二点鎖線で示すように装着部４３を前方へ引っ張って前側２９から外した後、装着部４５を後側３１から外せばよく、帯体４７の中央部には括れ部４９が設けられてカバー４１（帯体４７）が伸長し易くなっているため、竿取付部２７へのカバー４１の取付け／取り外しが容易である。
【００２８】
このように、カバー４１を竿取付部２７に取り付けた後、装着部４３で覆われた竿取付部２７の前側２９を釣竿３３のリールシート３５上の固定フード３７に係合させて、装着部４５で覆われた竿取付部２７の後側３１へリールシート３５上の移動フード３９を移動してこれに係合させれば、カバー４１を介在させて魚釣用リール２１が釣竿３３に一体的に取り付くこととなる。
【００２９】
そして、斯様にカバー４１を介在させて魚釣用リール２１を釣竿３３に取り付けることで、竿取付部２７と固定フード３７，移動フード３９との寸法や形状のバラツキによるガタ付き等を弾性材からなるカバー４１が吸引するため、これらの係合が安定し、この結果、長期に亘る使用で竿取付部２７や固定フード３７等の損傷，腐食といったトラブルを防止することが可能となった。
【００３０】
また、既述したようにカバー４１は竿取付部２７に容易に着脱自在であるから、カバー４１が経時劣化したときには、劣化したカバー４１を竿取付部２７から取り外して新しいカバー４１に交換すればよい。
【００３１】
従って、本実施形態によれば、特許文献１の従来例と異なり、カバー４１が経時劣化してもフレーム９全体を交換する必要がなくカバー４１を交換するだけで足りるため、低コストにて部品交換が可能となる利点を有する。
而も、帯体４７の中央部に括れ部４９を設けて、カバー４１（帯体４７）を伸長し易くしたため、竿取付部２７へのカバー４１の取付け／取り外しが容易である利点を有する。
【００３２】
尚、前記実施形態では、装着部４３，４５を、夫々、竿取付部２７の前側２９と後側３１に被せたが、装着部４３を竿取付部２７の後側３１に被せて、装着部４５を竿取付部２７の前側２９に被せてもよい。
【００３３】
図６及び図７は請求項１乃至請求項３の第二実施形態に係るカバーを示し、本実施形態は、前記カバー４１に比しカバー４１-1の前後に設けた袋状の装着部４３-1，４５-1の前後長を長くして、竿取付部２７の前側２９と後側３１への嵌入量を多くすると共に、一方の装着部４３の一側にスリット５５を設けたものである。
【００３４】
また、図８及び図９は請求項１乃至請求項３の第三実施形態に係るカバーを示し、本実施形態に係るカバー４１-2は、図６の装着部４３-1，４５-1と同一長の袋状の装着部４３-2，４５-2を設けて、一方の装着部４３の両側にスリット５７を設けたもので、スリット５７を装着部４３の両側に設けた構造上、竿取付部２７の前側２９からの装着部４３-2の脱落を防止するため、スリット５７は前記スリット５５に比しやや短めに設定されている。
【００３５】
尚、これらのカバー４１-1，４１-2は、前記カバー４１と同一材料で形成されている。
【００３６】
而して、これらのカバー４１-1，４１-2を用いることで、図１の実施形態と同様、所期の目的を達成することが可能であり、また、袋状の装着部４３-1，４３-2，４５-1，４５-2の前後長を長くしても、スリット５５，５７を設けたことで、竿取付部２７の横方向からの装着部４３-1，４３-2の着脱が可能である。
【００３７】
また、前記カバー４１に比しカバー４１-1，４１-2全体を厚肉に形成して前後方向に伸長し難くなっても、斯様にスリット５５，５７を設けることで竿取付部２７の横方向からの装着部４３-1，４３-2の着脱が可能であるため、竿取付部２７へのカバー４１-1，４１-2の取付け／取り外しが簡単である。
【００５０】
図１０乃至図１２は請求項１乃至請求項３の第四実施形態に係るカバーを示し、本実施形態に係るカバー４１-5は、図３乃至図５のカバー４１の構成に加え、装着部４３の表面と下面及び帯体４７の下面に、複数の凸部８５を設けたものである。
【００５１】
而して、本実施形態によれば、前記カバー４１と同様、所期の目的を達成することが可能であることは勿論、装着部４３の表面に複数の凸部８５を設けることで固定フードや移動フードとの食い付き性が向上し、また、装着部４３の下面や帯体４７の下面に複数の凸部８５を設けることで、リールシートに対する滑り止め性が向上する利点を有する。
【図面の簡単な説明】
【００５２】
【図１】請求項１乃至請求項３の第一実施形態に係るカバーを竿取付部に装着した魚釣用リールの平面図である。
【図２】カバーを竿取付部に装着した魚釣用リールの断面図である。
【図３】カバーの側面図である。
【図４】カバーの平面図である。
【図５】カバーを竿取付部に装着した魚釣用リールの断面図である。
【図６】請求項１乃至請求項３の第二実施形態に係るカバーの側面図である。
【図７】カバーの一部切欠き平面図である。
【図８】請求項１乃至請求項３の第三実施形態に係るカバーの側面図である。
【図９】カバーの一部切欠き平面図である。
【図１０】請求項１乃至請求項３の第四実施形態に係るカバーの側面図である。
【図１１】カバーの平面図である。
【図１２】カバーの底面図である。
【図１３】従来のリール固定板（竿取付部）の全体斜視図である。
【符号の説明】
【００５３】
５，７  側板
９  フレーム
１１，１３  フレーム枠体
１５  支柱
１７，１９  リール脚
２１  魚釣用リール
２３  リール本体
２７  竿取付部
２９  前側
３１  後側
３３  釣竿
３５  リールシート
３７  固定フード
３９  移動フード
４１，４１-1，４１-2，４１-5  カバー
４３，４３-1，４３-2，４５，４５-1，４５-2  装着部
４７  帯体（連結部材）
４９  括れ部
５５，５７  スリット
７７  弾性体
８５  凸部
【図１】
0004926910.tif 000002
【図２】
0004926910.tif 000003
【図３】
0004926910.tif 000004
【図４】
0004926910.tif 000005
【図５】
0004926910.tif 000006
【図６】
0004926910.tif 000007
【図７】
0004926910.tif 000008
【図８】
0004926910.tif 000009
【図９】
0004926910.tif 000010
【図１０】
0004926910.tif 000011
【図１１】
0004926910.tif 000012
【図１２】
0004926910.tif 000013
【図１３】
0004926910.tif 000014